(57)【要約】      （修正有）【課題】大地震などの自然の猛威に対し人命を守るために建築物の揺れを低減させ、免震力を高めることが課題であり、汎用されているコイルばねや鋼材を利用して組み合わせた免震装置を提供する。【解決手段】免震装置は建築物の上部構造と基礎構造の間に皿状に成形した鋼材３にコイルばね２を４本固定してその空隙に鋼製の球体１を組み込み、上部構造によって沈んだコイルばね２と球体３で軸力を支持し、地震時には、鋼製球体３が皿状の鋼板３内を自由に転がって上部構造への応答加速度や変形を低減させ、さらにコイルばね２の効果で上部構造への振動を低減させることに努める。鋼製球体３は地震が終わると重力に作用されて皿状の深い位置に戻る。【選択図】図１
2013257033.tif 000002
【特許請求の範囲】
【請求項１】
建築物の上部構造と基礎構造の間に設置して、水平力、垂直力、斜力などあらゆる方向からの外力に対し水平剛性の低い鋼製の球体とコイルばねを一体化させた支承で免震効果を発揮する免震装置、
【請求項２】
請求項１記載の免震装置において、コイルばねと鋼製の球体を使用することに特徴を持つ装置。
【請求項３】
請求項１記載の免震装置において、上部構造の一部である土台や柱脚と基礎構造の間に設置することによって、空隙ができ直接基礎に接しないため、上部構造の腐食の発生を抑え耐用年数が増す装置。
【請求項４】
請求項１記載の免震装置において、請求項２記載のコイルばねは上下を鋼製の板で固定する装置。
【請求項５】
請求項１記載の免震装置において、請求項２記載の鋼製の球体は装置の中で自由に転がり、同時に上部構造の軸力を基礎に伝える装置。
【請求項６】
請求項１記載の免震装置において、請求項４記載の装置と請求項５記載の鋼製の球体が一体となって効力を発揮する装置。
【請求項７】
請求項１記載の免震装置において、請求項４記載の鋼製の板は、請求項５記載の鋼製の球体が自由に転がるように、また、移動の後同じ位置に戻るように皿状になっていて、球体が鋼板から外れないように横止めを施す装置。
【請求項８】
請求項１記載の免震装置において、上部構造と基礎構造とのすき間は上部構造の荷重によって６ｃｍから９ｃｍとする装置。
【請求項９】
請求項１記載の免震装置において、請求項２記載のばねの高さは９ｃｍから１２ｃｍとして上部構造の荷重により３ｃｍ下がり鋼製の球体と高さが同一になり、免震力を高める装置。
【請求項１０】
請求項１記載の免震装置において、上部構造と基礎構造をつなぐアンカーボルトの箇所には、締め付けのボルト下の座金下にコイルばねを入れて、免震力を高める装置。
【請求項１１】
請求項１記載の免震装置において、上部構造の平面形状や、荷重の程度によって、請求項６記載の装置と請求項１０記載の装置を組み合わせて設置する。
【請求項１２】
請求項１記載の免震装置において、この装置は建築設備、工作物等にも応用する。
【発明の詳細な説明】
【技術分野】
【０００１】本発明はあらゆる建築物の上部構造と基礎構造の間に入れる免震装置である。【０００２】コイルばねと鋼製球体により軸力を受けると同時に地震時や台風時に建築物の上部構造の応答加速度や層間変位を低減する。
【背景技術】
【０００３】これから発生する地震や台風、竜巻などの自然の猛威に対処するため、複雑でない構造で、施工性の良い免震装置が必要である。【０００４】建築構造種別を問わず容易に施工が可能である。【０００５】本発明の鋼製球体とコイルばねからなる免震装置は従来なかった。
【先行技術文献】
【特許文献】
【発明の概要】
【発明が解決しようとする課題】
【０００６】自動車や電車には台車の中にばねが仕込まれており、それが激しい揺れに対応して室内の揺れやひずみを軽減している。本発明では、大地震などの自然の猛威に対し人命を守るために建築物の揺れを低減させることが課題である。【０００７】複雑な構造や特殊な材料を使用した免震構造でなく、汎用されているコイルばねや鋼材を組み合わせた構造の免震装置を世界中に提供するのが目的である
【課題を解決するための手段】
【０００８】上記の目的を達成するため、本発明の濱田式免震装置は建築物の上部構造と基礎構造の間に皿状に成形した鋼材にコイルばねを４本固定してその空隙に鋼製の球体を組み込み、上部構造によって沈んだコイルばねと球体で軸力を支持し、地震時には、鋼製球体が皿状の鋼板内を自由に転がって上部構造への応答加速度や変形を低減させ、さらにコイルばねの効果で上部構造への振動を低減させることに努める。鋼製球体は地震が終わると重力に作用されて皿状の深い位置に戻る。ここに濱田式免震装置の特徴がある。【０００９】建築物の構造種別を問わず濱田式免震装置は使用できる。【００１０】濱田式免震装置の大きさや、強度は変化する。木造在来工法では土台の幅に合わせた平面寸法とする。【００１１】濱田式免震装置は、鉄骨造や鉄筋工クリート造では柱脚の断面寸法に合わせることもできる。【００１２】上部構造の最下部の部材と、基礎天端とのすき間は、上部構造が設置されたとき３０ｍｍ沈み６０ｍｍから９０ｍｍに設定する。【００１３】上部構造の最下部の部材間に濱田式免震装置を一定間隔で設置する。【００１４】軸力が大きいところは９０ｍｍすき間に合わせた鋼製球体が入る。【００１５】土台と基礎を固定するアンカーボルト部には座金と一体となったコイルばねを入れて上部構造への振動をさらに減衰させる。
【発明の効果】
【００１６】濱田式免震装置を施すことによって、大地震時の建物崩壊の減少につながる。【００１７】濱田式免震装置を施すことによって、地震時や台風時、さらに竜巻などの自然の猛威に対し、建築物の上部構造の応答加速度を低減し、揺れを軽減し、地震後も建物の水平垂直を維持でき安定する。
【図面の簡単な説明】
【００１８】
【図１】本発明の６０ｍｍ高の免震装置の正面図である。
【図２】本発明の６０ｍｍ高の免震装置の平面図である。
【図３】本発明の６０ｍｍ高さの免震装置の側面図である。
【図４】本発明の６０ｍｍ高の免震装置のコイルばね部の断面図である。
【図５】本発明の６０ｍｍ高の免震装置の鋼製球体部の断面図である。
【図６】本発明の６０ｍｍ高さの免震装置のアンカーボルト部分の正面図である。
【図７】本発明の９０ｍｍ高さの免震装置の柱脚部分の平面図である
【図８】本発明の９０ｍｍ高の免震装置の正面図である
【発明を実施するための形態】
【００１９】濱田式免震装置の一つは図１から図３に示す通り、鋼製球体１と、コイルばね２とそれを固定する上下の鋼板３から構成されている。
【００２０】図１から図３で示す濱田式免震装置は一定の間隔で、上部構造と基礎構造の間に介在させる。
【００２１】コイルばね２は上部構造の軸力で３０ｍｍ沈むようにあらかじめ設定し、沈んだ際に鋼製球体１と高さを同一にして上部構造を支え免震効果を高める。
【００２２】地震時にはコイルばね２が水平垂直に動き上部構造の応答加速度を低減すると同時に鋼製球体１が転がり、応答加速度の低減を増す免震構造である。
【００２３】地震の震動が止まると鋼製球体１は図５に示す通り、皿状の鋼板３の最下部に戻り、上部構造の水平垂直を保ち建築物は安定する。
【００２４】図６に示す通り、上部構造と基礎をつなぐアンカーボルトの締め付け部には、単なる従来の座金ではなく、座金付コイルばね４を組み込み、免震効果を高める。
【００２５】鉄骨構造物や鉄筋コンクリート構造物などの比較的軸力の大きい柱脚には、すき間９０ｍｍに設定した図７、図８に示すような濱田式免震装置を施す。
【００２６】その際にもアンカーボルトの締め付け部分には座金付コイルばね４を併用して免震効果を高める。
【００２７】一定の間隔で設置した濱田式免震装置によって、地震時、台風時、竜巻時などに、コイルばね２、座金一体型コイルばね４と鋼製球体１の働きによって上部構造の応答加速度を低減し、免震効果を発揮して建物の被害を少なくし人命を守る。
【００２８】地震活動が終息し震動がとまった後には鋼製球体１が皿状の鋼板の中央に戻り再度安定した建築物として機能する。
【産業上の利用の可能性】
【００２９】濱田式免震装置は、地震時の建物破損や倒壊などの危険性を低減させ、産業上の生産活動の一助となる。
【００３０】濱田式免震装置を普及させることにより雇用が生まれ産業界に寄与する。
【符号の説明】
【００３１】１濱田式免震装置に組み込まれる鋼製の球体
２濱田式免震装置に組み込まれるコイルばね
３濱田式免震装置に組み込まれるコイルばねを固定する鋼板
４濱田式免震装置に組み込まれる座金一体型コイルばね
５濱田式免震装置に組み込まれるアンカーボルト
６濱田式免震装置に組み込まれる締め付けナット
７上部構造の土台
８基礎
９柱
１０ベースプレート
【図１】
2013257033.tif 000003
【図２】
2013257033.tif 000004
【図３】
2013257033.tif 000005
【図４】
2013257033.tif 000006
【図５】
2013257033.tif 000007
【図６】
2013257033.tif 000008
【図７】
2013257033.tif 000009
【図８】
2013257033.tif 000010